(57)【特許請求の範囲】
【請求項１】
複数の生地パーツから形成されているジャケットであって、
前記複数の生地パーツは、前身頃を形成している表地及び裏地を備え、
前記表地及び裏地は、前記裏地の下襟部分、前裾部分及び裾部分を含む外縁部分にわたる貼合面において、前記表地の対応する貼合面と互いに貼り合わされており、
前記表地及び裏地は、前記表地と裏地との間にポケットを形成している、
シームレスジャケット。
【請求項２】
前記表地及び裏地は、前記ポケットの開口部分を除き、前記裏地の外縁部分の全周にわたる貼合面において、前記表地の対応する貼合面と互いに貼り合わされている、
請求項１に記載のシームレスジャケット。
【請求項３】
前記生地パーツでは、折返部分が、本体部分に折り返されて重ね合わされ、当該折返部分にわたる貼合面において、前記本体部分の対応する貼合面と互いに貼り合わされている、
請求項１に記載のシームレスジャケット。
【請求項４】
複数の生地パーツから形成されるジャケットの製造方法であって、
前記複数の生地パーツの前身頃を形成する表地及び裏地を、前記裏地の下襟部分、前裾部分及び裾部分を含む外縁部分にわたる貼合面において、前記表地の対応する貼合面と互いに貼り合わせ、前記表地と裏地との間にポケットを形成する、
シームレスジャケットの製造方法。
【発明の詳細な説明】
【技術分野】
【０００１】
本発明は、ジャケット及びその製造方法に関する。
【背景技術】
【０００２】
従来のジャケットについては、生地パーツを縫合することにより製造されている（例えば、特許文献１参照）。
【先行技術文献】
【特許文献】
【０００３】
【特許文献１】特表２００８−５２８８１６号公報
【発明の概要】
【発明が解決しようとする課題】
【０００４】
生地パーツを縫合することにより製造されるジャケットについては、ジャケットの見栄えを良くするために補強用の芯地が必要であり、芯地の重量によりジャケットの重量が重くなってしまう。
【０００５】
本発明は上記課題に鑑みてなされたものであり、その目的は、軽量で見栄えの良いジャケット及びその製造方法を提供することにある。
【課題を解決するための手段】
【０００６】
本発明の第１実施態様は、複数の生地パーツから形成されているジャケットであって、前記生地パーツは、所定の貼合面の全面において貼り合わされている、シームレスジャケットである。
【０００７】
本実施態様では、生地パーツを貼合面の全面において貼り合わせてジャケットを形成しており、貼合面においては補強用の芯地がなくともジャケットの見栄えを良くすることができるため、ジャケットの見栄えを維持しつつ芯地を省略してジャケットを軽量化することが可能となっている。
【０００８】
本発明の第２実施態様は、前記複数の生地パーツは、前身頃を形成している表地及び裏地を備え、前記表地及び裏地は、前記裏地の下襟部分、前裾部分及び裾部分を含む外縁部分にわたる貼合面の全面において、前記表地の対応する貼合面の全面と互いに貼り合わされている、第１実施態様のシームレスジャケットである。
【０００９】
本実施態様では、前身頃の表地及び裏地を、裏地の下襟部分、前裾部分及び裾部分を含む外縁部分にわたる貼合面の全面において、表地の対応する貼合面の全面と互いに貼り合わせているため、比較的大きな前身頃の表地又は裏地の芯地を省略することができ、ジャケットを充分に軽量化することが可能となっている。また、前身頃の表地と裏地とが一体化されているため、シームレスジャケットの裏側について、一枚布のようなすっきりとした外観及び着心地が実現されている。
【００１０】
本発明の第３実施態様は、前記表地及び裏地は、前記表地と裏地との間にポケットを形成している、第２実施態様のシームレスジャケットである。
【００１１】
本実施態様では、前身頃の表地及び裏地によって表地と裏地との間にポケットを形成しているため、表地の裏側のポケット布を省略することができ、ジャケットを充分に軽量化することが可能となっている。また、シームレスジャケットの裏側について、一枚布のようなすっきりとした外観及び着心地が実現されている。
【００１２】
本発明の第４実施態様は、前記生地パーツでは、折返部分が、本体部分に折り返されて重ね合わされ、当該折返部分にわたる貼合面の全面において、前記本体部分の対応する貼合面の全面と互いに貼り合わされている、第１実施態様のシームレスジャケットである。
【００１３】
本実施態様では、生地パーツにおいて、折返部分を、本体部分に折り返して重ね合わせ、当該折返部分にわたる貼合面の全面において、本体部分の対応する貼合面の全面と互いに貼り合わせているため、折返部分の芯地を省略することができ、ジャケットを充分に軽量化することが可能となっている。
【００１４】
本発明の第５実施態様は、複数の生地パーツから形成されるジャケットの製造方法であって、前記生地パーツを所定の貼合面の全面において貼り合わせる、シームレスジャケットの製造方法である。
本実施態様では、第１実施態様と同様の作用効果を奏する。
【発明の効果】
【００１５】
本発明では、軽量で見栄えの良いジャケットが実現されている。
【図面の簡単な説明】
【００１６】
【図１】本発明の一実施形態のシームレスジャケットの生地パーツを示す模式図。
【図２】本発明の一実施形態のシームレスジャケットの前身頃の表地及び裏地を示す模式図。
【図３】従来のジャケットの生地パーツを示す模式図。
【発明を実施するための形態】
【００１７】
図１乃至図３を参照して、本発明の一実施形態について説明する。
【００１８】
図３を参照して、従来のジャケットについて説明する。従来のジャケットについては、生地パーツを縫合糸によって縫合することにより製造されている。
【００１９】
図３に示されるように、ジャケットは、複数の生地パーツにより形成されている。複数の生地パーツは、前身頃パーツ４０ａ−４０ｆ、後身頃パーツ４２ａ，４２ｂ、袖パーツ４４ａ，４４ｂ、胸ポケットパーツ４６ａ，４６ｂ、腰ポケットパーツ４８ａ，４８ｂ、上襟パーツ５０ａ，５０ｂを備え、外縁端部分において縫合糸により互いに縫合され、前身頃、後身頃、袖、胸ポケット、腰ポケット、上襟等を形成している。複数の生地パーツとして、ジャケットの見栄えを良くするために、補強用の芯地４０ｄ−４０ｆ，４２ｂ，４４ｂ，４６ｂ，４８ｂ，５０ｂが用いられている。
【００２０】
前身頃パーツ４０ａ−４０ｆにおいて、裏地４０ｂに芯地４０ｄが重ね合わされて接着されており、表地４０ａの外縁部分において表地４０ａと裏地４０ｂとが互いに縫合されて、裏地４０ｂにより見返しが形成されている。なお、表地４０ａにも芯地を重ね合わせて接着するようにしてもよい。前身頃パーツ４０ａ−４０ｆの表地４０ａの裏側に、胸ポケットパーツ４６ａ及び腰ポケットパーツ４８ａからなる袋状の胸ポケット布及び腰ポケット布が縫合され、胸ポケット及び腰ポケットが形成されている。前身頃パーツ４０ａ，４０ｃの裾部分６０、後身頃パーツ４２ａの裾及びベント部分６２、袖パーツ４４ａの袖口部分６４、胸ポケットパーツ４６ａ及び腰ポケットパーツ４８ａのポケット口部分６６，６８では、夫々、折返部分に芯地４０ｅ，４０ｆ，４２ｂ，４４ｂ，４６ｂ，４８ｂが重ね合わされて接着されており、当該折返部分は本体部分に折り返されて重ね合わされて縫合されている。襟パーツ５０ａでは、襟パーツ５０ａの全体に芯地５０ｂが重ね合わされて接着されている。
【００２１】
このように、従来のジャケットでは、縫合糸自体の重量に加えて、ジャケットの見栄えを良くするための補強用の芯地４０ｄ−４０ｆ，４２ｂ，４４ｂ，４６ｂ，４８ｂ，５０ｂの重量が追加されるため、ジャケットの重量が重くなっている。特に、前身頃パーツ４０ａ−４０ｆの表地４０ａ又は裏地４０ｂの芯地４０ｄについては、比較的大きくなるため、ジャケットの重量が重くなっている。さらに、従来のジャケットでは、前身頃パーツ４０ａ−４０ｆにおいて、表地４０ａに対して裏地４０ｂからなる見返しが分離された形態となっており、また、表地４０ａの裏側に袋状の胸ポケット布又は腰ポケット布が配設されることになるため、ジャケットの裏側の外観が雑然としたものとなり、着心地も悪くなっている。加えて、従来のジャケットについては、生地パーツを縫合糸によって縫合することにより製造されているため、ジャケットの表面に縫合糸が表れる箇所があり、クリーンさや洗練さの欠けたものとなっている。
【００２２】
図１及び図２を参照して、本実施形態のシームレスジャケットについて説明する。
本実施形態のシームレスジャケットについては、生地パーツを所定の貼合面の全面において熱圧着、接着等により貼り合わせるシームレス（無縫製）製法により製造されるものである。
【００２３】
図１及び図２に示されるように、本実施形態のシームレスジャケットは、複数の生地パーツにより形成されている。複数の生地パーツは、前身頃パーツ１０ａ−１０ｃ、後身頃パーツ１４、袖パーツ１６、胸ポケットパーツ１８、襟パーツ２０を備え、外縁端部分にわたる貼合面の全面において互いに貼り合わされて、前身頃、後身頃、袖、胸ポケット、上襟等を形成している。
【００２４】
前身頃パーツ１０ａ−１０ｃにおいて、表地１０ａと裏地１０ｂとが、裏地１０ｂの下襟部分２２、前裾部分２３及び裾部分２４を含む外縁部分にわたる貼合面の全面において、表地１０ａの対応する貼付面の全面と互いに貼り合わされて、一体化されている。また、前身頃パーツ１０ａ−１０ｃの表地１０ａ及び裏地１０ｂは、腰ポケットの開口部分においては互いに貼り合わされておらず、表地１０ａと裏地１０ｂとの間に腰ポケットを形成している。なお、図２においては、表地１０ａ及び裏地１０ｂと他の生地パーツとの貼合面については、図示していない。前身頃パーツ１０ａ−１０ｃの裾部分２６及び腰ポケットのポケット口部分２８、後身頃パーツ１４の裾部分３０及びベント部分３２、袖パーツ１６の袖口部分３４、胸ポケットパーツ１８のポケット口部分３８においては、折返部分が、本体部分に折り返されて重ね合わされ、当該折返部分にわたる貼合面の全面において、本体部分の対応する貼合面の全面と互いに貼り合わされている。
【００２５】
生地パーツの貼り合わせには、熱圧着、接着等が用いられる。生地パーツの素材としては、フラットな素材が好ましく、天竺、スムース、ダンボールニット、ポプリン、平織等の素材が用いられる。接着剤としては、ホットメルト等が用いられる。
【００２６】
本実施形態のシームレスジャケットは以下の効果を奏する。
本実施形態のシームレスジャケットでは、生地パーツを所定の貼合面の全面において貼り合わせており、貼合面においては補強用の芯地がなくともジャケットの見栄えを良くすることができるため、ジャケットの見栄えを維持しつつ、縫合糸自体に加えて芯地を省略して、ジャケットを軽量化することが可能となっている。
【００２７】
特に、前身頃パーツ１０ａ−１０ｃにおいて、表地１０ａ及び裏地１０ｂが、裏地１０ｂの下襟部分２２、前裾部分２３及び裾部分２４を含む外縁部分にわたる貼合面の全面において、表地１０ａの対応する貼付面の全面と互いに貼り合わされているため、比較的大きな前身頃パーツ１０ａ−１０ｃの表地１０ａ又は裏地１０ｂの芯地を省略することができる。また、表地１０ａ及び裏地１０ｂが、表地１０ａと裏地１０ｂとの間に腰ポケットを形成しているため、表地１０ａの裏側の腰ポケット布を省略することができる。さらに、前身頃パーツ１０ａ−１０ｃの裾部分２６及び腰ポケットのポケット口部分２８、後身頃パーツ１４の裾部分３０及びベント部分３２、袖パーツ１６の袖口部分３４、胸ポケットパーツ１８のポケット口部分３８において、折返部分を、本体部分に折り返して重ね合わせ、当該折返部分にわたる貼合面の全面において、本体部分の対応する貼合面の全面と互いに貼り合わせているため、折返部分の芯地を省略することができる。このため、ジャケットを充分に軽量化することが可能となっている。
【００２８】
例えば、紳士物のＭサイズのジャケットについて、従来のジャケットについては、約４００ｇの重量であったところ、本実施形態のシームレスジャケットについては、１６８ｇの重量となっている。ここで、最新式のスマートフォンであるiphoneX（登録商標）の重量については１７４ｇとなっており、本実施形態のシームレスジャケットについては、最新式のスマートフォンよりも軽いという圧倒的な軽量化を実現している。
【００２９】
さらに、シームレスジャケットでは、前身頃パーツ１０ａ−１０ｃにおいて、表地１０ａ及び裏地１０ｂが、裏地１０ｂの下襟部分２２、前裾部分２３及び裾部分２４を含む外縁部分にわたる貼合面の全面において、表地１０ａの対応する貼付面の全面と互いに貼り合わされて、一体化されており、また、表地１０ａ及び裏地１０ｂが、表地１０ａと裏地１０ｂとの間に腰ポケットを形成しているため、表地１０ａの裏側の腰ポケット布を省略することができる。このため、シームレスジャケットの裏側について、一枚布のようなすっきりとした外観及び着心地が実現されている。
【００３０】
加えて、シームレスジャケットについては、生地パーツを所定の貼合面の全面において熱圧着、接着等により貼り合わせるシームレス製法により製造されているため、ジャケットの表面に縫合糸が表れることを回避でき、クリーンで洗練された外観となっている。
【００３１】
本発明の一実施形態のシームレスジャケットの製造方法では、前身頃パーツ１０ａ−１０ｃ、後身頃パーツ１４、袖パーツ１６、胸ポケットパーツ１８、襟パーツ２０を、外縁端部分にわたる貼合面の全面において互いに貼り合わせて、前身頃、後身頃、袖、胸ポケット、上襟等を形成する。前身頃パーツ１０ａ−１０ｃにおいて、表地１０ａ及び裏地１０ｂを、裏地１０ｂの下襟部分２２、前裾部分２３及び裾部分２４を含む外縁部分にわたる貼合面の全面において、表地１０ａの対応する貼付面の全面と互いに貼り合わせて、一体化する。ここで、前身頃パーツ１０ａ−１０ｃの表地１０ａ及び裏地１０ｂは、腰ポケットの開口部分においては互いに貼り合わされず、表地１０ａと裏地１０ｂとの間に腰ポケットを形成する。前身頃パーツ１０ａ−１０ｃの裾部分２６及び腰ポケットのポケット口部分２８、後身頃パーツ１４の裾部分３０及びベント部分３２、袖パーツ１６の袖口部分３４、胸ポケットパーツ１８のポケット口部分３６において、折返部分を本体部分に折り返して重ね合わせ、当該折返部分にわたる貼合面の全面において、本体部分の対応する貼合面の全面と互いに貼り合わせる。本実施形態のシームレスジャケットの製造方法については、上述した本発明の一実施形態のシームレスジャケットと同様の効果を奏する。
【符号の説明】
【００３２】
１０ａ−１０ｃ…前身頃パーツ  １０ａ…表地  １０ｂ…裏地  
１４…後身頃パーツ  １６…袖パーツ  １８…胸ポケットパーツ  ２０…襟パーツ  
２２…下襟部分  ２３…前裾部分  ２４…裾部分
【要約】 
【課題】  軽量で見栄えの良いジャケットを提供する。
【解決手段】  シームレスジャケットは、複数の生地パーツから形成されているジャケットであって、生地パーツは、所定の貼合面の全面において貼り合わされている。
【選択図】  図１【図１】
0006970879.tif 000002
【図２】
0006970879.tif 000003
【図３】
0006970879.tif 000004